Podtech/llm-jp-corpus-v4-ja_patent huggingface dataset:
(57)【特許請求の範囲】
【請求項１】
排気ガスターボチャージャ（１）であって、
−コンプレッサ（２）を有し、
−タービン（３）を有し、
−シャフト軸受（６、７）用の潤滑油装置（５）を有する軸受ハウジング（４）を有し、潤滑油供給ライン（８）を介して前記潤滑油装置をエンジン潤滑油回路に接続することができ、
−潤滑油貯蔵容器（９）が、前記潤滑油供給ライン（８）と前記軸受ハウジング（４）の前記潤滑油装置（５）との間に接続され、
前記潤滑油貯蔵容器（９）がサイフォン（１１）を有する、
排気ガスターボチャージャ。
【請求項２】
前記潤滑油貯蔵容器（９）が前記軸受ハウジング（４）に取り付けられる、請求項１に記載の排気ガスターボチャージャ。
【請求項３】
前記潤滑油貯蔵容器（９）が、前記軸受ハウジング（４）内にねじ留めされる供給コネクタ（１０）を有する、請求項１又は２に記載の排気ガスターボチャージャ。
【請求項４】
前記潤滑油貯蔵容器が、前記潤滑油供給ライン（８）に接続されることができるラインポート（１２）を有する、請求項１〜３のいずれか一項に記載の排気ガスターボチャージャ。
【請求項５】
前記潤滑油貯蔵容器（９）に少なくとも１つの加熱要素（１３）が設けられる、請求項１〜４のいずれか一項に記載の排気ガスターボチャージャ。
【請求項６】
請求項３〜５のいずれか一項に記載の特徴の少なくとも１つを特徴とする、排気ガスターボチャージャ（１）用の潤滑油貯蔵容器（９）。
【発明の詳細な説明】
【技術分野】
【０００１】
本発明は、請求項１の前提部に記載の排気ガスターボチャージャに関する。
【０００２】
排気ガスターボチャージャが装備されたエンジンの冷間始動中に、ターボチャージャの軸受ハウジングの軸受装置に対するオイル供給が比較的長い間遅れることがある。ラインが長くかつ不都合に敷設された結果、ターボチャージャが当初潤滑なしに動作する危険性がある。このことは、零下の温度においては、オイルが粘性又は固体であるという点で、悪化する可能性があり、オイル供給がさらに遅れるか又はロータが動かなくなる。エンジンのアフターランの結果、潤滑油の注入が不十分であることによる摩耗現象も、エンジンの停止中に生じ得る。
【発明の概要】
【発明が解決しようとする課題】
【０００３】
したがって、本発明の目的は、冷間始動中及びアフターラン中の、冒頭に説明した問題を排除することを可能にする、請求項１の前提部に規定されたタイプの排気ガスターボチャージャを提供することである。
【課題を解決するための手段】
【０００４】
前記目的は、請求項１の特徴によって達成される。
【０００５】
追加のオイル貯蔵容器が潤滑油供給ラインと軸受ハウジングの潤滑油装置との間に接続されるということによって、オイル貯蔵を軸受装置の直接近傍で行うことが可能となり、このオイル貯蔵により、冷間始動中及びアフターラン中、時間的遅れなしに軸受装置に必要な量のオイルを供給することができる。圧力が潤滑油供給ラインで広がる際、潤滑油（オイル）はオイル貯蔵容器から軸受ハウジングに押入される。
【０００６】
従属請求項は、本発明の有利な改良形態に関する。
【０００７】
オイル貯蔵容器が、軸受ハウジングに取り付ける、好ましくはねじ留めすることができる別個の構成要素として形成される場合、潤滑油供給ラインをオイル貯蔵容器の高さで上方に再配置することのみで済むので、排気ガスターボチャージャの後装着も、技術的な問題なしに可能である。
【０００８】
オイル貯蔵容器は、サイフォンを有することが好ましく、このサイフォンを介して、充分な潤滑油圧力が広がる際に潤滑油を軸受ハウジング内に押入することができる。
【０００９】
さらに、加熱要素（例えば加熱箔又は加熱ロッドの形態）を潤滑油容器に一体化することが可能である。このようにして、潤滑油をエンジン制御器によって予熱し、かつシャフト組立体の分離を加速することも、エンジンの始動の前に前記分離を可能にすることもできる。
【００１０】
本発明のさらなる詳細、利点及び特徴は、図面に基づき、例示的な実施形態の以下の説明から理解される。
【図面の簡単な説明】
【００１１】
【図１】本発明による排気ガスターボチャージャの断面図である。
【図２】本発明による排気ガスターボチャージャの潤滑油容器の著しく単純化した概略斜視図である。
【発明を実施するための形態】
【００１２】
図１は、コンプレッサ２及びタービン３を有する本発明による排気ガスターボチャージャ１を示している。コンプレッサ２とタービン３との間に軸受ハウジング４が配置される。軸受ハウジング４は、ロータシャフト１４のシャフト軸受６及び７用の潤滑油装置５を有する。図１に示した特に好ましい実施形態では、潤滑油貯蔵容器（オイル貯蔵容器）９が、エンジンオイル回路から導かれる潤滑油供給ライン８と軸受ハウジング４の潤滑油装置５との間に接続される。このために、潤滑油容器９は、実施例では、軸受ハウジング４の対応する雌ねじ内にねじ留めされる雄ねじ１５が設けられるオイル供給コネクタ１０を有する。潤滑油貯蔵容器９は、実施例では、潤滑油供給ライン８の対応する雄ねじと相互作用する雌ねじ１６を有するラインポート１２を介して潤滑油供給ライン８に接続され、この結果、上述の組立体が行われた後に、軸受ハウジング４の潤滑油装置５が潤滑油貯蔵容器９を介して潤滑油供給ライン８に流動接続される。
【００１３】
図１及び図２を共に見ることから理解できるように、潤滑油貯蔵容器９の内部にサイフォン１１が配置され、このサイフォン１１を介して、圧力が加えられると（矢印Ｐで図２に図示）、潤滑油、特にオイルが軸受ハウジング４の潤滑油装置５に押入される。潤滑油貯蔵容器９は軸受ハウジング４に直接配置されるので、供給された潤滑油（オイル）が軸受６、７に到達するためにカバーしなければならない距離が著しく短縮され、この結果、冒頭部で述べたような冷間始動中又はチャージャのアフターラン中の問題は、潤滑油貯蔵容器９の提供によって排除することができる。
【００１４】
場合によりオイルを予熱するために、潤滑油容器９には、ブロック１３で図１に示される加熱要素を設けることができる。
【００１５】
本発明の上述の開示に加えて、ここに、前記開示を補完するために、図１及び図２の本発明の実例が、明示的に参照される。
【符号の説明】
【００１６】
１  排気ガスターボチャージャ
２  コンプレッサ
３  タービン
４  軸受ハウジング
５  潤滑油装置
６、７  シャフト軸受
８  潤滑油供給ライン
９  潤滑油貯蔵容器
１０  潤滑油供給コネクタ
１１  サイフォン
１２  ラインポート
１３  加熱要素
１４  ロータシャフト
１５  雄ねじ
１６  雌ねじ
Ｐ  圧力矢印
【図１】
0005872675.tif 000002
【図２】
0005872675.tif 000003
(57)【特許請求の範囲】
【請求項１】
上蓋に突起をつくり、ひっくり返せるようにし、蓋を反対にし、突起部分によって、素材を押させつけることができ、強く押すと、加熱により、柔らかいものであれば潰すことができ、余計な煮汁等がある場合、熱い食材を触らずに、煮汁等を捨てることができるようにした、蒸し器容器。
【発明の詳細な説明】
【技術分野】
【０００１】  この発明は、蒸し器容器に関するものである。
【背景技術】
【０００２】  従来の蒸し器では、調理の工程が次にある場合、別容器に移すなどしないといけないが、蒸してすぐの食材は、熱すぎて、すぐに次の調理工程に容易に移ることができない状況であった。
【先行技術文献】
【特許文献】
【０００３】
【特許文献１】特許公開２０１２−７５５８６公報
【発明の概要】
【発明が解決しようとする課題】
【０００４】  従来の蒸し器では、調理の工程（例えば、潰す作業が必要だったり、余計な煮汁や脂等を捨てる作業）が次にある場合、別容器に移すなどしないといけないが、蒸してすぐの食材は、熱すぎて、すぐに次の調理工程に容易に移ることができない状況であった。
本発明は、以上の問題点を解決することを目的とする。
【課題を解決するための手段】
【０００５】  第一発明は、上蓋に固めの突起を付け、上蓋がひっくり返られるようし、突起部分が下になり、素材を押さえつけることができ、熱いものを触らずに、柔らかいものであれば潰すことができるようにした。第二発明は、熱いものを触らずに、余計なもの（余分な脂や、煮汁など）を捨てることができるようにした。
以上の構成によりなる蒸し器容器。
【発明の効果】
【０００６】  本発明により、料理の次の調理工程が、熱い時に容易に安全に行うことができる。
【図面の簡単な説明】
【０００７】  以下、本発明の実施形態について説明する。
【図１】は、先端の留め具を起点に上蓋をひっくり返し、蓋を閉める前の状態の上面図である。
【図２】は素材を中に入れ、蒸すために蓋をしてレンジに入れる前の状態の側面図である。
【図３】は調理後の蓋をひっくり返して、食材を潰そうとしている略図説明図である。
【図４】は上蓋をひっくり返し重ねた状態の斜視図である。
【発明を実施するための形態】
【０００８】［図２］は素材を中に入れ、蓋をしてレンジに入れようとしている略図説明図である。
その後、取り出して、蓋をひっくり返し、加熱調理しているので、柔らかいものであれば潰すことができる。［図４］は上蓋を押さえつけることにより、食材を潰す前の状態であり、潰した後に、余分な煮汁や脂等があれば［図４］のような状態で斜めにすることで捨てることができる。
【符号の説明】
【０００９】Ａ蒸し器ＣとＦを留めつけている留め具である。
Ｂ上蓋に付いている突起部分である。
ＢＢ上蓋をひっくり返した突起部分である。
Ｃ通常状態の上蓋の部分である。
ＣＣひっくり返した状態である現在の上蓋である。
Ｄ上蓋の持ち手部分である。
Ｅ下蓋の持ち手部分である。
Ｆ下蓋の部分である。
Ｇ電子レンジである。
１食材。
【図１】
0006037140.tif 000002
【図２】
0006037140.tif 000003
【図３】
0006037140.tif 000004
【図４】
0006037140.tif 000005
(57)【特許請求の範囲】
【請求項１】
介護服の素材を表裏どちらも表面として使えるような仕様にし、介護服の前身頃、後身頃のそれぞれの生地に穴を開け、そこに紐を通すことにより、前身頃、後身頃両方の生地に紐を通して、開けにくいような構造にし、前身頃、後身頃を接合する接合部材を、それぞれの接合部材が、雌雄両方の結合の要素を持っていて、雌雄両方のいずれでも接着できるようにされており、被介護者の身体に負担が少なくなるようにし、接合部材と接合部材に間が空いていることによって、医療関係者が治療の際にチューブ類を取り付けたい時も、通しやすいような構造にした介護服。
【発明の詳細な説明】
【技術分野】
【０００１】  この発明は、介護服に関するものである。
【背景技術】
【０００２】  従来の介護服（寝巻き・パジャマ）では、着脱の際に、介護人にその負担が多く、医療では手術のチューブ等や点滴等で、身体に直接取り付ける必要がある時、場所を選べなかった。その為、被介護人にも腕・足・腰に無理がかかり苦痛を与えることがあった。
【先行技術文献】
【特許文献】
【０００３】
【特許文献１】特許公開２００７−２８４８５０公報
【発明の概要】
【発明が解決しようとする課題】
【０００４】  以上の技術によれば、介護服のボタン等をつけるために、裏表をはっきりさせる必要があり、治療等のチューブ等を付けるときも、ボタンの開閉により、隙間からの温度の変化を感じさせる。また、結合部分のボタンは場所が決まっているため、被介護者の体格に密着させることが出来ない。
本発明は、以上の問題点を解決することを目的とする。
【課題を解決するための手段】
【０００５】  第一発明は、介護服の素材を表裏関係なく、どちらでも表面として使えるようにし、介護者もわかりやすく着脱させやすい。第二発明は、接合部材は片側に接着の面の雄雌を両方につけており、これにより表で裏でもどちらの面でも利用可能にした。被介護者の身体に負担が、少なくなるような仕様にし、生地に穴を開けて、そこに紐を通すことにより、開けにくいような構造にした。第三発明は、医療関係者が治療の際にチューブ類を取り付けたい時に、表側の介護服と裏側の介護服を接合できる場所を接合部材の箇所によって、装着しやすいように選ぶことができるようにした。
以上の構成による介護服。
【発明の効果】
【０００６】  発明により介護服に裏表がなくなり、介護者が着脱させやすい服になった。また紐を通すことにより開けにくくなった。接合部材を、片側で両方が接着できるように雄雌両方をつけた。そうすることにより、医療関係者が治療の際にチューブ類を取り付けたい時も、接合部のどこからでも通しやすいようになった介護服。
【図面の簡単な説明】
【０００７】  以下、本発明の実施形態について説明する。
【図１】上半身の後身頃（Ｂ）と前身頃（Ｃ）下半身の後身頃（Ｅ）と前身頃（Ｄ）を分離した介護服を着替え中の全身の斜視分解図である。
【図２】前身頃と後身頃を重ね合わせて密着させた時の介護服。被介護者着用の正面図である。
【図３】前身頃と後身頃を重ね合わせる途中の介護服の接合部分の拡大図である。
【発明を実施するための形態】
【０００８】［図１］のように、素材である前身頃と後身頃を重ね合わせて密着させ、１の紐で３の穴を通して２の接着部分で接合させる。そうすることで［図２］のようになり、着脱がしやすい、医療関係者が治療の際にチューブ類を取り付けしやすい介護服として使用できる。素材に複雑な加工がなく、製作しやすくなっている。
【符号の説明】
【０００９】１前身頃と後身頃を密着させるための接合部分の紐部分である。
２前身頃と後身頃を密着させるための紐の部分の接合部材である。
３前身頃と後身頃を密着させるための接合部分の紐を通す穴である。
Ａ被介護人の頭部。
Ｂ上半身の後身頃。
Ｃ上半身の前身頃。
Ｄ下半身の後身頃。
Ｅ全身の結合部材（接合部材は片側に接着の面の雄雌を両方につけており、これにより表で裏でもどちらの面でも利用可能）
例：面ファスナーである場合（マジックテープ）  片方がフックと呼ばれるかぎ爪状になっている突起で、もう片方がループと呼ばれる起毛によって接合できる部材。
Ｆ被介護人の足の部分。
Ｇ下半身の前身頃。
【図１】
0006037141.tif 000002
【図２】
0006037141.tif 000003
【図３】
0006037141.tif 000004
(57)【特許請求の範囲】
【請求項１】
ステンレスの線材を用いて所定の長さに形成され、一端部にのし瓦の裏面側に係止する係止部を有し、係止部からほぼのし瓦の厚み分だけ離間した位置に抜け防止のための返し部を有することを特徴とするのし瓦固定具。
【請求項２】
係止部上に板状のストッパーを設けたことを特徴とする請求項１記載ののし瓦固定具。
【発明の詳細な説明】
【技術分野】
【０００１】
本発明は、のし瓦を固定するために用いられるのし瓦固定具に関する。
【背景技術】
【０００２】
日本家屋の屋根では、棟の部分にのし瓦を左右対称に配置して積み重ねており、形が崩れたりしないように、図５に示すように、左右ののし瓦９０，９０を銅線９１，９１で緊結している。そのため瓦を施工する者は、銅線９１を木の棒切れに巻き付けて屋根に持ってあがり、銅線９１を棒切れから繰り出してのし瓦９０の通し孔９２に通してから捩じってのし瓦９０に結わえ付けると共に、銅線９１を適当な長さで切断し、左右ののし瓦９０，９０にそれぞれ結わえ付けた銅線９１，９１の先端部を捩じって結んでいた。このように、銅線９１をいちいち切ったり捩じったりしなければならないため、のし瓦９０の施工には手間と熟練を要していた。
【発明の概要】
【発明が解決しようとする課題】
【０００３】
本発明は以上に述べた実情に鑑み、のし瓦の施工を容易化できるのし瓦固定具の提供を目的とする。
【課題を解決するための手段】
【０００４】
上記の課題を達成するために請求項１記載の発明によるのし瓦固定具は、ステンレスの線材を用いて所定の長さに形成され、一端部にのし瓦の裏面側に係止する係止部を有し、係止部からほぼのし瓦の厚み分だけ離間した位置に抜け防止のための返し部を有することを特徴とする。
【０００５】
請求項２記載の発明によるのし瓦固定具は、請求項１記載の発明の構成に加え、係止部上に板状のストッパーを設けたことを特徴とする。
【発明の効果】
【０００６】
請求項１記載の発明によるのし瓦固定具は、のし瓦の通し孔に裏面側から通すと、係止部がのし瓦の裏面側に係止すると共に、返し部がのし瓦の表面側に係止して、抜けないように保持され、簡単にのし瓦に固定することができる。従来のように、銅線をいちいち切ったり捩じったりする必要がないため、のし瓦の施工を容易化できる。ステンレスの線材で形成したので、錆びることがなく、耐久性も優れている。
【０００７】
請求項２記載の発明によるのし瓦固定具は、係止部上に板状のストッパーを設けたことで、強く引っ張られてものし瓦の通し孔から抜けることがない。
【図面の簡単な説明】
【０００８】
【図１】本発明ののし瓦固定具の一実施形態を示す正面図である。
【図２】同のし瓦固定具の使用方法を示す正面図である。
【図３】本発明ののし瓦固定具の使用状態の一例を示す屋根の棟部分の縦断面図である。
【図４】本発明ののし瓦固定具の他の実施形態を示す正面図である。
【図５】従来の工法を示す縦断面図である。
【発明を実施するための形態】
【０００９】
以下、本発明の実施の形態を図面に基づいて説明する。図１は、本発明ののし瓦固定具１の一実施形態を示している。本のし瓦固定具１は、ステンレスの線材２を用いて１０〜２０ｃｍ程度の長さに形成され、下端部には左右に張り出すように曲げて形成した係止部３を設けてある。係止部３からほぼのし瓦６の厚み分だけ上方に離間した位置には、下向きに斜めに突き出た返し部４を設けてある。係止部３のすぐ上には、ゴムで形成された円板状のストッパー５が設けてある。線材２は、容易に曲げられる太さのものを用いている。
【００１０】
本のし瓦固定具１は、図２（ａ）に示すように、のし瓦６の通し孔７に裏面側から通して引っ張ると、図２（ｂ）に示すように、ストッパー５と係止部３がのし瓦６の裏面側に係止し、返し部４がのし瓦６の表面側に係止して、抜けないように保持される。そうして左右ののし瓦６，６にのし瓦固定具１をそれぞれ取付けて、図３に示すように、屋根の棟部に左右対称に配置し、左右ののし瓦６，６からのびるのし瓦固定具１，１を捩じって結ぶ。
【００１１】
以上に述べたように本のし瓦固定具１は、のし瓦６の通し孔７に裏面側から通すだけでのし瓦６に簡単に固定され、従来のように銅線をいちいち切ったり捩じったりする必要がないため、のし瓦６の施工を容易化できる。ステンレスの線材２で形成したので、錆びることがなく、耐久性にも優れている。係止部３上にストッパー５を設けたので、強く引っ張られても抜けることがない。ストッパー５をゴムで形成したことで、強く引っ張られたときにストッパー５がクッションとなり、通し孔７の周りが欠けたりするのを防ぐことができる。
【００１２】
図４は、本発明ののし瓦固定具１の他の実施形態を示している。こののし瓦固定具１は、棒状の部品を線材２に結びつけて係止部３としたものである。係止部３は、ゴム製の棒を用いることで、クッションの機能を併せ持つものとなる。
【００１３】
本発明は以上に述べた実施形態に限定されない。係止部３と返し部４の形状は、適宜変更することができる。ストッパー５は省略することもできる。本発明ののし瓦固定具は、棟積みだけでなく、壁際の葺き止め積みにも使用できる。
【符号の説明】
【００１４】
１  のし瓦固定具
２  線材
３  係止部
４  返し部
５  ストッパー
【図１】
0005869020.tif 000002
【図２】
0005869020.tif 000003
【図３】
0005869020.tif 000004
【図４】
0005869020.tif 000005
【図５】
0005869020.tif 000006
(57)【特許請求の範囲】
【請求項１】
超高圧用端末であって、中心導体（１）の周りにフレキシブルな材料からなるデフレクタコーン（２）を備え、デフレクタコーン（２）は、第１の内側絶縁部品（３）を含むポリマー絶縁体によって覆われ、導電性デフレクタ（５）を含み、前記中心導体（１）は、外部端子（６）へ接続され、前記導電性デフレクタ（５）と前記外部端子（６）の隣接端部との間に含まれる前記デフレクタコーン（２）の長さ（Ｌ）に直交する角度における、前記内側絶縁部品（３）の最大径（Ｄ）は、  前記導電性デフレクタ（５）の最大径（ｄ１）の２倍以上である超高圧用端末。
【請求項２】
前記デフレクタコーン（２）の最大径（ｄ２）が、前記第１の内側絶縁部品（３）の前記最大径（Ｄ）の２／３よりも小さい請求項１に記載の超高圧用端末。
【請求項３】
前記第１の内側絶縁部品（３）の前記最大径（Ｄ）は、以下の式によって前記デフレクタコーン（２）の前記長さ（Ｌ）の関数として定義され、
【数１】
0005869302.tif 000004
ここで、Ｖは、該端末の設計の基準となったインパルス電圧であり、ｆ（Ｖ）は、０．２５と０．４の間であり、ｋは、０．５と０．７の間である請求項１または２に記載の超高圧用端末。
【請求項４】
前記ポリマー絶縁体は、前記第１の内側絶縁部品（３）を覆い、外側フィンを有する第２の外側絶縁部品（４）を含む請求項１から３のいずれかに記載の超高圧用端末。
【請求項５】
前記デフレクタコーン（２）は、シリコーンゴムからなる請求項１から４のいずれかに記載の超高圧用端末。
【請求項６】
前記第１の内側絶縁部品（３）は、鉱物質添加剤で強化されたエポキシ樹脂からなる請求項１から５のいずれかに記載の超高圧用端末。
【請求項７】
前記第２の外側絶縁部品（４）は、シリコーンゴムからなる請求項４に記載の超高圧用端末。
【発明の詳細な説明】
【技術分野】
【０００１】
本発明は、超高圧用電気端末に関する。
【背景技術】
【０００２】
近年、内側絶縁シリンダとこれを覆う外側シリンダとを備えた、ポリマー絶縁体が開発されている。良好な絶縁性及び良好な強度を有する、グラスファイバー強化プラスチックまたは等価物は、該内側シリンダに使用することができ、たとえば、シリコーンゴムなどのポリマーは、外側フィンを備える外側シリンダに使用することができる。
【０００３】
このような絶縁体は、軽く取り扱いが容易であるという利点を有する。さらに、このような絶縁体は、爆発し破片をまき散らす恐れのある磁器絶縁体や解放され、燃焼する恐れのある油入絶縁体と比べて、内部故障の場合の安全性を向上させる。
【０００４】
特許文献１は、２個の本質的な部品、ポリマー絶縁体及びこの絶縁体に含まれる、フレキシブルな材料から形成されるデフレクタコーンを備えた端末を記載している。
【先行技術文献】
【特許文献】
【０００５】
【特許文献１】特開平１１−２０３９７０
【発明の概要】
【発明が解決しようとする課題】
【０００６】
本発明の目的は、特に超高圧において、上記のような端末の電気的性能を改良することである。
【０００７】
具体的に、２２０ｋＶより大きな電圧において、特許文献１に記載された端末は、漏れ電流の問題を有する。
【課題を解決するための手段】
【０００８】
この問題を解決するために、本発明は、中心導体の周りにフレキシブルな材料からなるデフレクタコーンを備え、デフレクタコーンは、第１の内側絶縁部品を含むポリマー絶縁体によって覆われ、導電性デフレクタを含み、前記中心導体は、外部端子へ接続され、前記導電性デフレクタと前記外部端子の隣接端部との間に含まれる前記デフレクタコーンの長さに直交する角度における、前記内側絶縁部品の最大径は、前記導電性デフレクタの前記最大径の２倍以上である超高圧用端末を提案する。
【０００９】
好ましい実施形態によれば、前記デフレクタコーンの最大径が、前記内側絶縁部品の最大径の２／３よりも小さい。
【００１０】
好ましくは、第１の内側絶縁部品の前記最大径Ｄは、以下の式によって前記デフレクタコーンの前記長さＬの関数として定義され、
【００１１】
【数１】
0005869302.tif 000002
ここで、Ｖは、該端末の設計の基準となったインパルス電圧であり、ｆ（Ｖ）は、０．２５と０．４の間であり、ｋは、０．５と０．７の間である。
【００１２】
好ましくは、前記ポリマー絶縁体は、前記第１の内側絶縁部品を覆い、外側フィンを有する第２の外側絶縁部品を含む。
【００１３】
前記デフレクタコーンは、シリコーンゴムから構成されてもよい。
【００１４】
前記第１の内側絶縁部品は、鉱物質添加剤で強化されたエポキシ樹脂から構成されてもよい。
【００１５】
前記第２の外側絶縁部品は、シリコーンゴムから構成されてもよい。
【００１６】
本発明の好ましい実施形態を表す図面を使用して本発明を以下に詳細に説明する。
【図面の簡単な説明】
【００１７】
【図１】本発明の好ましい実施形態を説明する図である。
【発明を実施するための形態】
【００１８】
端末は、中心導体１の周りに、フレキシブルな材料、好ましくはシリコーンゴムからなるデフレクタコーン２を備える。デフレクタコーン２は、好ましくは、鉱物質添加剤で強化されたエポキシ樹脂からなる内側絶縁シリンダ３から構成される第１の部品及び、好ましくはシリコーンゴムからなり、第１のシリンダを覆い外側フィンを有する、外側絶縁シリンダ４から構成される第２の部品を備えるポリマー絶縁体によって覆われる。
【００１９】
デフレクタコーン２は、半導電性ゴムデフレクタ５を含む。中心導体１は、その端部において、該端末の外側端子６へ接続される。
【００２０】
導電性デフレクタ５及び出力端子６の隣接する端部の間のデフレクタコーン２の長さＬ対して直角の、第１のシリンダ３の最大径Ｄは、導電性デフレクタ５の最大径ｄ１の２倍以上である。
【００２１】
デフレクタコーン２の径、したがって、その最大径ｄ２は、第１のシリンダの最大径Ｄの２/３より小さい。
【００２２】
第１のシリンダの最大径Ｄは、以下の式によってデフレクタコーン２の上記長さＬの関数として定義するのが好ましい。
【００２３】
【数２】
0005869302.tif 000003
ここで、Ｖは、該端末の設計の基準となったインパルス電圧であり、ｆ（Ｖ）は、０．２５と０．４の間であり、ｋは、０．５と０．７の間である。
【００２４】
例として、ｆ（Ｖ）は、１７０ｋＶの電圧に対しては０．２８程度であり、２４５ｋｖ程度の電圧に対しては０．３９程度であり、４２０ｋＶの電圧に対しては０．３４程度であるのが有利である。
【００２５】
本発明は、通常２２５ｋＶと５５０ｋＶの間である超高圧に特に適用される。
【図１】
0005869302.tif 000005
(57)【特許請求の範囲】
【請求項１】
うちわシート（１０）と、保持手段（１１）を備えるうちわ（１）において、
前記うちわシート（１０）と綴じシート（２０）を綴じるステッチ綴じ、無線綴じ、コイル綴じの何れかの綴じ部（２１）を備えて冊子（２）を構成することを特徴とするうちわ（１）。
【請求項２】
折畳んだシート（１０）に、うちわ保持手段（１１）を備えるうちわ（１）において、
前記うちわ保持手段（１１）を備えてスクラム製本を構成する、或いは、
前記うちわ保持手段（１１）と、複数の折部を備えてリーフレットを構成することを特徴とするうちわ（１）。
【発明の詳細な説明】
【技術分野】
【０００１】
本発明は、冊子うちわ、リーフレットうちわに関する。
【背景技術】
【０００２】
従来、うちわが知られている。例えば、特開２００３−２６５２１３号公報は、折畳んだベースシートに指による保持手段を提供する穴を備える技術が開示されている。
【先行技術文献】
【特許文献】
【０００３】
【特許文献１】特開２００３−２６５２１３号公報
【発明の概要】
【発明が解決しようとする課題】
【０００４】
ところで、上記従来のうちわは、広告面が４面に留まると言った問題があった。
【０００５】
そこで、本発明の目的は、広告面を、６面以上設けることができるうちわを提供することにある。
【課題を解決するための手段】
【０００６】
上記課題を解決するため本発明のうちわは、うちわシート（１０）と、保持手段（１１）を備えるうちわ（１）において、前記うちわシート（１０）と綴じシート（２０）を綴じるステッチ綴じ、無線綴じ、コイル綴じの何れかの綴じ部（２１）を備えて冊子（２）を構成することを特徴とする。
【発明の効果】
【０００７】
本発明によれば、うちわは、広告面を、６面以上設けることができる。
【図面の簡単な説明】
【０００８】
【図１】実施形態の冊子うちわの構成図の一例である。
【発明を実施するための形態】
【０００９】
以下、本発明の実施の一形態について詳細に説明する。
【００１０】
図１は、実施形態の冊子うちわの構成図の一例である。
【００１１】
また、ベースシート１０を、（ａ）折畳んだ状態と、（ｂ）開いた状態を図示している。
【００１２】
図１の（ａ）は、ベースシート１０の上部に折部と、下部に指による保持手段を提供する係止穴１１を備えるうちわ１を構成する。
【００１３】
図１の（ｂ）は、ベースシート１０と、１枚又は複数枚の中綴じシート２０を重ねてステッチ（針金）などで綴じ、折部を構成する中綴じ部２１を備えて中綴じ冊子２を構成する。
【００１４】
うちわ１は、ベースシート１０の表紙面に選挙立候補者などの顔写真や似顔絵を印刷し、両眼の夫々に、ベースシート１０と、中綴じシート２０を貫通する眼穴を設け、お面を構成してもよい。
【００１５】
中綴じ冊子２は、ベースシート１０と、中綴じシート２０の全ての面に宣伝、説明文、文章などを印刷し、ベースシート１０の表紙面に選挙立候補者の写真や絵を印刷し、証紙を貼り付けた選挙配布物などの広告媒体などを構成してもよい。
【００１６】
また、中綴じシート２０を、係止穴１１を備えてベースシート１０と同じ形状としてもよい。また、スクラム製本、二つ折り、巻三つ折り、Ｚ折りなどのリーフレットに、中綴じ部２１を無線綴じ、コイル綴じなどに変更してもよい。
【００１７】
１…うちわ，２…中綴じ冊子，１０…ベースシート，１１…係止穴，２０…中綴じシート，２１…中綴じ部
【要約】
【課題】本発明の目的は、広告面を、６面以上設けることができるうちわを提供することにある。
【解決手段】うちわシート１０と、保持手段１１を備えるうちわ１において、うちわシート１０と綴じシート２０を綴じるステッチ綴じ、無線綴じ、コイル綴じの何れかの綴じ部２１を備えて冊子２を構成することを特徴とする。
【選択図】図１【図１】
0005869723.tif 000002
(57)【特許請求の範囲】
【請求項１】
ふろの湯の中に、保冷剤と空気入り樹脂性密閉容器を入れる事により、対流の促進撹拌を起こさせ、人手を使わないで上層部（高温）と下層部（低温）の湯温の均一化をはかる。保冷剤と湯面に浮かせる為の空気を入れた樹脂性密閉容器の構造を持つ事を特徴とするふろ撹拌促進具。
【発明の詳細な説明】
【技術分野】
【０００１】
本発明は家庭のふろで最初に入る時、対流の法則で上側に高温の湯が上昇するため、熱いので何かを使って撹拌し、底の部分の温度の低い湯と混ぜ、そのあとで入る事が一般的である。
【背景技術】
【０００２】
一番風呂に入る時に撹拌することは、あまりにも通常の事で、理科、科学の実験では見かけるが、深くは追跡されていない様である。
【先行技術文献】
【特許文献】
【０００３】
【特許文献１】特開平０８−１９３７５３
【発明の概要】
【発明が解決しようとする課題】
【０００４】
一番風呂に入る時に不要な作業なく、気持ちよくふろに入れれば、一番風呂の価値がもっと上がる。これをなんとかして解決したい。
【課題を解決するための手段】
【０００５】
本発明は、上記課題を解決するために、保冷剤の入ったふろ撹拌促進具を使用し、快適に一番風呂に入れるようにした。
【発明の効果】
【０００６】
本発明のふろ撹拌促進具を使用することにより、一番風呂が快適に入れる様になる。
【図面の簡単な説明】
【０００７】
【図１】図１は本発明のふろ撹拌促進具使用前の断面図を示す。
【図２】図２は本発明のふろ撹拌促進具を使用した時の断面図を示す。
【図３】図３は本発明のふろ撹拌促進具の使用例を示す。
【発明を実施するための形態】
【０００８】
本発明の実施形態を図１〜図３に基づいて説明する。  
【０００９】
図１は本発明の断面図で対流の基本的な例を示す。  
【００１０】
図２は本発明のふろ撹拌促進具を使用した場合に撹拌が促進され、人が入る前に撹拌する作業を対流の法則を利用し、温度が均等にされた状態を示す。  
【００１１】
図３は本発明のふろ撹拌促進具の使用例を示す。
【実施例１】
【００１２】
図２は、本発明の対流促進をした状態を示す。
【産業上の利用可能性】
【００１３】
ほとんどの人が一番風呂に入る時は、なにげなく、わずらわしさを感じながらの動作になっているものが、快適に  初風呂を楽しむことが出来るようになる。
【符号の説明】
【００１４】
１  バスタブに入れた湯の表面２  バスタブに入れた湯の上層３  バスタブに入れた湯の中間層４  バスタブに入れた湯の下層５  バスタブ６  バスタブの基礎、または土台７  ふろ撹拌促進具８  対流の上昇９  対流の下降
【要約】【課題】一番風呂に入ったとき、バスタブに貯められた表面の熱い層を手で撹拌しなければならない状態を解決する。【解決手段】課題を解決するために、保冷剤を入れた密閉容器を湯の表面に投入し、対流を促進させ、上層と下層を撹拌し、湯温を均等に近づける。【選択図】図２【図１】
0005907449.tif 000002
【図２】
0005907449.tif 000003
【図３】
0005907449.tif 000004
(57)【特許請求の範囲】
【請求項１】
側面が二等辺三角形で、高さが互いに異なる二種類の正三角錐の互いの底面を共有させてできる４個の六面体、底面が正方形の６個の正方形斜角柱、底面が二等辺三角形の６個の右手系斜角柱、この右手系斜角柱の鏡像体である６個の左手系斜角柱および１個の立方体からなり、前記２３個の多面体が立方体容器に充填される立方体充填パズル。
【発明の詳細な説明】
【技術分野】
【０００１】
本発明は、立方体容器内に外形と数量の異なる５種類の多面体が充填される充填パズルに関するものである。
【背景技術】
【０００２】
近年、充填パズルとして、数量の異なる直方体と立方体が立方体容器に充填されるＩＱパズルと呼ばれる単純充填パズルが知られている。
【発明の開示】
【発明が解決しようとする課題】
【０００３】
しかし、この周知のＩＱパズルは各ピースのコーナーがいずれも直角になっているため、立方体容器のコーナーに置くピースの数が著しく多く、完成させるのには、対称性の知識がないと解けない難点があった。
【課題を解決するための手段】
【０００４】
本発明は、準結晶の構造モデルから導かれた幾何学的構造を応用した立体パズルである。５種類の多面体を立方体容器に充填するパズルである。
すなわち、側面が二等辺三角形で、高さが互いに異なる二種類の正三角錐の互いの底面を共有させてできる４個の六面体、底面が正方形の６個の正方形斜角柱、底面が二等辺三角形の６個の右手系斜角柱、この右手系斜角柱の鏡像体である６個の左手系斜角柱および１個の立方体から成り、前記２３個５種類の多面体が立方体容器に充填される立方体充填パズルを提供することにより、前記の難点を解決したものである。
【発明の効果】
【０００５】
本発明は、僅か２３個５種類の多面体を立方体容器に充填する立方体充填パズルであるので、高度な対称性の知識がなくても、比較的容易に充填パズルを完成させることができる。また、本発明では、立方体容器の６面全てに同じ形の充填パターンが形成される。したがって、本発明は単に詰め込みパズルとしての面白さを追求するばかりでなく、形の認識能力を高める用具としても有効である。
【実施例】
【０００６】
以下、図を用いて本発明を説明する。本発明は、図１に示す立方体容器１の中に図２〜図５に示す５種類の多面体（パーツ）２３個を充填した立方体充填パズルである。すなわち、図２に示す側面Ａが二等辺三角形で、高さが互いに異なる正三角錐の底面Ｂを共有させてできる六面体２を４個、図３に示す底面Ｂが正方形の正方形斜角柱３を６個、図４（上）に示す底面Ｂが二等辺三角形の右手系斜角柱４を６個、図４（下）に示す右手系斜角柱４の鏡像体である左手系斜角柱５を６個、および図５に示す立方体６を１個、それぞれ多面体（パーツ）の共有面を利用して立方体容器１に充填する。
【０００７】
立方体容器１は透明なプラスチックなどとして、また各多面体（パーツ）は色の異なるプラスチックなどで形成することが望ましい。図６に示すように立方体容器１の外部から充填したパズルの充填パターンを観察することができる。このように、どの面も同じパターンの正方形をもつ立方体が得られるのが、本発明の立方体充填パズルの特徴である。なお、各多面体は、角が直角、または鋭角の部分があるので、それぞれ角を丸くして、取り扱い易いようにすることが望ましい。
【図面の簡単な説明】
【０００８】
【図１】透明な立方体容器の斜視図
【図２】六面体の斜視図
【図３】右手系斜角柱（上）と左手系斜角柱（下）の斜視図
【図４】正方形斜角柱の斜視図
【図５】立方体の斜視図
【図６】立方体容器に充填した本発明の充填パズルの充填パターンを示す斜視図
【符号の説明】
【０００９】
１    立方体容器
２    六面体
３    正方形斜角柱
４    右手系斜角柱
５    左手系斜角柱
６    立方体
【図１】
0005987183.tif 000002
【図２】
0005987183.tif 000003
【図３】
0005987183.tif 000004
【図４】
0005987183.tif 000005
【図５】
0005987183.tif 000006
【図６】
0005987183.tif 000007
(57)【特許請求の範囲】
【請求項１】
金属製又は合成樹脂製板の三角形で上下の二辺部に裁断幅の目盛を表示した間隔ゲージで裁断加工する裁断用細線の裁断間隔を目盛表示に合わせ合成樹脂製で幅約８ｃｍ長さ約１４ｃｍの小型の調理板の上で調理品を各種料理にあった大きな形状と数に裁断成形するこれら補助具であることを特徴とする裁断成形調整器具
【発明の詳細な説明】
【技術分野】
【０００１】    本発明は豆腐寒天羊羹等を金属製又は合成樹脂製で裁断用細線の間隔幅を間隔ゲージの目盛り表示と裁断用細線を裁断間隔に合わせ合成樹脂製で幅約８ｃｍ長さ約１４ｃｍ小型の調理板の上を縦横方向等に移動させて均一で変則的な裁断ができ調理人の料理に合わせて大きな形状と数に裁断調理ができるこれら補助具からなる裁断成形調整器具である
【背景技術】
【０００２】Ｕ字型等の切断器具を使用して裁断用細線でサイの目切り等を行う器具等や豆腐を手のひらに乗せてサイの目を目検討で裁断加工をして手を切る危険性が有る器具類である
【先行技術文献】
【特許文献】
【０００３】
【発明の概要】
【発明が解決しようとする課題】
【０００４】    本発明は間隔ゲージの目盛り表示した裁断幅に裁断用細線を合わせ小型の調理板を使用し裁断成形する調理法で調理板の上で均一な裁断加工が簡単に出来る裁断成形調理法とこれら補助具からなる裁断成形調整器具である
【課題を解決するための手段】
【０００５】  上記課題を解決するため本発明は金属製又は合成樹脂製で裁断の幅を間隔ゲージの目盛り表示に合わせ合成樹脂製で幅約８ｃｍ長さ約１４ｃｍ小型の調理板の上で縦横方向に裁断用細線の１本目を調理板の上面を這わせ２本目以降で移動裁断をおこなうなどの裁断成形調理法であることを特徴とする裁断成形調整器具である【０００６】  間隔ゲージは金属製又は合成樹脂製板の三角形で二辺部には計測して裁断する幅の目盛りを表示した間隔ゲージで裁断成形は裁断用細線を目盛り表示に合わせ合成樹脂製の小型の調理板の上で調理品を各種料理にあった大きな形状や数に裁断成形調理するこれら補助具を特徴とする裁断成形調整器具
【発明の効果】
【０００７】  金属製又は合成樹脂製の間隔ゲージで裁断用細線の裁断幅を目盛り表示に合わせ決定し合成樹脂製で幅約８ｃｍ長さ約１４ｃｍの小型の調理板の上を横方向に滑らすなど裁断用細線の１本目を調理板の上面を這わせ２本目以降で移動裁断でき調理品を調理人の料理に合わせた加工や形状と数に裁断成形加工が手のひらでは無く安全であり家庭の子供でも簡単に出来る裁断成形調理法と裁断成形調整器具である【０００８】    金属製又は合成樹脂製の三角形で二辺部には裁断幅を計測し目盛りを表示した間隔ゲージでこのゲージの目盛りに合わせて合成樹脂製で小型の調理板を使用して調理人の求る各種料理の大きさと形状に均一な裁断調理が可能となる裁断成形調整器具である【０００９】  本発明は豆腐寒天羊羹等を金属製又は合成樹脂製の間隔ゲージの目盛りを目安にして好みの裁断成形調理が行え合成樹脂製で幅約８ｃｍ長さ約１４ｃｍの小型の調理板を使用して裁断用細線で切り口の綺麗な裁断成形が可能であり裁断調理が家庭でも子供達が自由に楽しく調理加工ができる裁断成形調整器具が提供される
【図面の簡単な説明】
【００１０】
【図１】金属製又は合成樹脂製で三角形板の間隔ゲージ１で二辺部には裁断の幅を計測し目盛３を表示した計測器具の平面図
【図２】合成樹脂製で小型の調理板２を使用し裁断調理を行う調理板２の傾斜図
【図３】調理板２の上で間隔ゲージ１を使用して目盛３を裁断枠の４本の裁断用細線４と調理板２との裁断幅を決定する使用例の傾斜図
【発明を実施するための形態】
【００１１】      図１は金属製又は合成樹脂製で三角形の間隔ゲージ１で二辺部に裁断の幅を計測し裁断成形加工する目安の目盛３を表示し裁断用細線４をこの目盛３に合わせ裁断幅を決定する間隔ゲージ１の平面図ＪＩＳ規格の精度を求めるものではない
【００１２】    ［図２］は合成樹脂製で幅約８ｃｍ長さ約１４ｃｍの小型の調理板２で調理板２の上で調理品を縦横移動裁断を行い怪我を防止できる調理板２の傾斜図
【００１３】    ［図３］は小型の調理板２の上に間隔ゲージ１を使用して目盛３と立てた裁断枠の１本目を調理板２の上面に置き３本の裁断用細線４の裁断幅を決定する使用例の斜視図である
【産業上の利用可能性】
【００１４】    本発明品は好みの調理品を間隔ゲージで裁断用細線の配置間隔を調整してＪＩＳ規格の精度をもとめるものではなく目安とし裁断用細線１本でも裁断成形加工が出来る裁断用細線の２本目以降の裁断用細線を目安とし調理品の形状と加工数を自由に変えられ各種料理に利便性があり家庭の子供でも簡単に均等な裁断成形調理が出来る調理人の創意工夫で装飾品的な加工も可能で有り幅約８ｃｍ長さ約１４ｃｍの小型の調理板に調理品を置き１本目の裁断線は上面を横に滑らせ２本目以降の裁断線で横裁断する手の平のシワなどの凸凹は無く均一で綺麗な小形の裁断成形加工が出来て間隔ゲージと調理板の一部に取付用の穴等を設ければ収納に便利なこれら補助具からなる裁断成形調整器具が提供される
【符号の説明】
【００１５】１    間隔ゲージ２    調理板３    目盛４    裁断用細線
【図１】
0005998315.tif 000002
【図２】
0005998315.tif 000003
【図３】
0005998315.tif 000004